(57)【要約】【課題】  エレベーターの乗りかご内での病気患者の咳き込みは、病気の感染空気蔓延による同乗者への感染リスク拡大の問題がある。【解決手段】  かご上の音声及び画像判定手段に接続した乗りかご内のマイクにより利用者の咳き込み音を検出、あるいはカメラによりマスクを着用した利用者の顔の画像を認識すると、音声及び画像判定手段と空気清浄装置の双方に接続した空気清浄装置制御手段は、その音声または画像情報を元に、空気清浄装置のファンの回転数を増加させる制御を行い、かご内の空気清浄能力を高める。【選択図】図１
2014240313.tif 000002
【特許請求の範囲】
【請求項１】
エレベーターの乗りかごに設けたエレベーター制御装置であって、
前記乗りかご内の空気を清浄にする空気清浄装置と、
前記乗りかご内での咳き込み音を検出する手段と、
前記乗りかご内のマスクを着用した利用者を識別する手段と、
前記乗りかご内での咳き込み音を検出、あるいはマスクを着用した利用者を識別した際に、前記空気清浄装置の運転を制御する空気清浄装置制御手段と
を有することを特徴とするエレベーター制御装置。
【請求項２】
前記空気清浄装置制御手段は、前記利用者の発熱の兆候の状況、あるいは、エレベーターの運転状態に応じて、前記空気清浄装置のファンの回転数を調整することを特徴とする請求項１記載のエレベーター制御装置。
【請求項３】
前記空気清浄装置制御手段は、
前記利用者のマスク着用を検知した場合、前記ファンの回転数を通常運転時よりも高い第１の回転数に設定し、
更に、前記利用者の咳き込み音を検出した場合であって、前記エレベーターが走行中であれば、前記ファンの回転数を前記第１の回転数よりも高い第２の回転数に設定することを特徴とする請求項２記載のエレベーター制御装置。
【発明の詳細な説明】
【技術分野】
【０００１】
本発明はエレベーターの乗りかごにおいて、かご内の音声と画像情報に基づいた空気清浄装置の自動制御に関するものである。
【背景技術】
【０００２】
従来の技術に関して、乗りかご内にインフルエンザなどの感染者・発熱を伴う病気発症者が乗った際、赤外線サーモグラフィー付き監視カメラにより乗客の体温を測定し、発熱と判定した場合には、乗りかご内の感染空気を、空気清浄装置を介して強制循環させることによりクリーンな空気に置換するかご内クリーンシステムが、特許文献１に開示されている。
【先行技術文献】
【特許文献】
【０００３】
【特許文献１】特開２０１１−２３６０２０号公報
【発明の概要】
【発明が解決しようとする課題】
【０００４】
特許文献１では、利用者が発熱と判定されない限り、空気清浄を実行しない。例えば、利用者がインフルエンザに感染している場合、発熱前後において、数日間ウイルスが体内に留まる潜伏期間がある。この潜伏期間においては、未発熱時でも、咳き込みにより体外に放出する飛沫にはウイルスが含まれる。利用者が未発熱の場合は、サーモグラフィーを用いた前記かご内クリーンシステムは機能しないため、一定期間、乗りかご内にこの感染空気が蔓延し、同乗者への感染リスクを拡大する可能性がある。
【０００５】
また、かごに乗ったと同時に空気清浄装置が稼動すると、稼動音の変化が大きい場合、利用者に不快感を与える可能性がある。即ち、従来は、発熱の兆候がある人がエレベーターのかごに乗車すると、一律に空気清浄機をＯＮにしているので、発熱の兆候がある人がエレベーターのかごに乗車したことが同乗している他の人に察知されてしまう。
【０００６】
本発明の目的は、これらの課題を解決し、病気に感染している利用者が未発熱であっても、乗りかご内の感染空気蔓延の要因となる咳き込み音を検出することで、空気清浄装置のファンの回転数を増加させ、かご内の空気清浄能率を高める制御を行い、同乗者への病気の感染リスク拡大を防ぐことにある。
【０００７】
また、マスク着用など、病気感染の確率が高いと考えられる場合においても、同様に乗りかご内の空気清浄能率を高め、予め同乗者への感染拡大のリスクを低減することにある。
【０００８】
更に、空気清浄装置のファンの回転数をエレベーターの運転状態に応じて調整し、急な稼動音の変化を抑制することで、エレベーターのかごに同乗している他の利用者の不快感を軽減することにある。
【課題を解決するための手段】
【０００９】
本発明のエレベーターの制御装置は、エレベーターの乗りかごにおいて、乗りかご内での咳き込み音を検出する手段と、乗りかご内のマスクを着用した利用者を識別する手段と、乗りかご内での咳き込み音を検出、あるいはマスクを着用した利用者を識別した際に、空気清浄装置による乗りかご内の空気清浄を実施する。
【００１０】
本発明のエレベーターの制御装置は、乗りかご内の音声を入力するマイクと、画像を入力するためのカメラと、乗りかご内の音声から咳き込み音、画像からマスクを着用した利用者を判定する手段と、前記どちらかを判定した際に、空気清浄装置による乗りかご内の空気清浄を実施する。
【００１１】
本発明のエレベーターの制御装置は、発熱の兆候がある人の状況、あるいは、エレベーターの運転状態に応じて、上記空気清浄装置のファンの回転数を調整する。特に、発熱の兆候がある人がエレベーターの乗りかごに乗車する前から、ファンの回転数が少ない状態で予め空気清浄装置を作動させておくことで、空気清浄装置のＯＦＦからＯＮへの動作音の変化を少なくする。更に、発熱の兆候がある人がエレベーターの乗りかごに乗車して、これを検知した際は、直ちにファンの回転数を高めるのではなく、エレベーターの走行中にファンの回転数を高め、ファンの高速回転の音を、それよりも音が大きいエレベーターの走行音に紛らせるように制御する。
【発明の効果】
【００１２】
以上に述べたとおり、本発明のエレベーターの制御装置により、病気に感染している利用者が未発熱であっても、乗りかご内の感染空気蔓延の要因となる咳き込み音を検出、マスクを着用した利用者を認識することで、空気清浄装置のファンの回転数を増加させ、乗りかご内の空気清浄能率を高める制御を行い、同乗者への病気の感染リスク拡大を防止することが可能となる。
【００１３】
また、本発明のエレベーターの制御装置により、空気清浄装置のファンの回転数を、発熱の兆候がある人の状況、あるいは、エレベーターの運転状態に応じて段階的に調整し、稼動音の急激な変化を抑制することで、エレベーターの乗りかごの利用者の不快感を軽減できる。
【図面の簡単な説明】
【００１４】
【図１】エレベーターの乗りかごの構成を示す図である。
【図２】エレベーターにおける空気清浄機の制御フローを示す図である。
【発明を実施するための形態】
【００１５】
以下、本発明の実施形態について図１及び図２を用いて説明する。
【００１６】
図１に示す乗りかご１０の内部には、マイク４とカメラ１が設置されている。前記マイク４は、乗りかご内の音声をかご上に設置した音声及び画像判定手段２に入力する。一方、カメラ１は、乗りかご内の画像をマイクと同様に、音声及び画像判定手段２に入力する。
【００１７】
音声及び画像判定手段２が利用者の咳き込み音を判定する手法としては、（１）音声の周波数成分を分析する、（２）音声の強弱のパターンを分析する、（３）最初の咳き込み音を一時的に録音し、２回目の音が同じかどうかを判定する、などの手法がある。尚、（３）の手法は、咳き込み音は１回ではなく、数回連続する傾向があることを利用した判定方法である。また、マスク着用の有無は、カメラ１によって取得した利用者の顔程度の大きさの画像に占める白の割合に基づいて判定することもできる。
【００１８】
音声及び画像判定手段２は、空気清浄装置制御手段３に接続しており、入力された乗りかご内の音声より、利用者の咳き込み音、また、入力されたかご内の画像からマスクを着用した利用者の有無の判定情報を空気清浄装置制御手段３に伝送する。
【００１９】
空気清浄装置制御手段３は、音声及び画像判定手段２により伝送された判定情報を元に空気清浄装置６にかご内の空気を取り込むためのファン７の回転数を調整する。ファン７より空気清浄装置６に取り込んだ空気は、病気の要因となるウイルスや病原菌などを除去した後、ダクト５を介して、乗りかご内にクリーンな空気を排出する。
【００２０】
時間当たりに空気清浄する乗りかご内の空気の量は、空気清浄装置６へ取り込む空気の量と等しく、ファン７の回転数を調節することにより、空気清浄能率を制御することが可能となる。
【００２１】
図２はファン回転数の調整制御の処理フローを示す。空気清浄装置のファンの回転数は低い方から順に、低（通常運転）、中（準清浄運転）、高（清浄運転）の３段階で設定し、通常運転における回転数は低である（Ｓ２１）。カメラ１と前記音声及び画像判定手段２により、乗りかご内にマスクを着用した利用者を判定すると（Ｓ２２）、空気清浄装置制御手段３は、空気清浄装置６の運転を準清浄運転に移行するため、ファン７の回転数を中に増加する（Ｓ２３）。この準清浄運転は、マスクを着用した利用者が乗りかごから降りるまで継続する（Ｓ２５）。
【００２２】
一方、マイク４と音声及び画像判定手段２より、乗りかご内での咳き込み音を判定すると（Ｓ２４）、空気清浄装置制御手段３は、空気清浄装置６の運転を清浄運転に移行するべく、ファン７の回転数を高に増加する（Ｓ２７）。清浄運転はファン７の回転数が最も高く、ファンの回転に伴う本装置の稼動音も大きくなることから、急な稼動音の変化による咳き込んだ利用者の不快感を軽減するため、清浄運転はエレベーターの走行中のみとし（Ｓ２６、Ｓ２８）、戸開中などエレベーターの走行停止中においては、清浄運転に移行しない制御とする。また、本清浄運転は咳き込み音を判定した後、エレベーターの走行開始から停止までの間とする。
【００２３】
図２に示す処理フローのように、空気清浄装置のファンの回転数を、発熱の兆候がある人の状況、あるいは、エレベーターの運転状態に応じて段階的に調整し、稼動音の急激な変化を抑制することで、エレベーターの乗りかごの利用者の不快感を軽減できる。
【符号の説明】
【００２４】
１：カメラ、２：音声及び画像判定手段、３：空気清浄装置制御手段、４：マイク、５：ダクト、６：空気清浄装置、７：ファン、８：天井、９：利用者、１０：乗りかご
【図１】
2014240313.tif 000003
【図２】
2014240313.tif 000004